(57)【要約】【課題】  効率の高いあんま効果を得ることができ且つ少々強く叩いてもそれほど痛さを感じない叩き方ができる新規の按摩器及び当該按摩器に用いる按摩器用オモリ体を提供することを目的とする。【解決手段】  叩き操作される操作部と叩き部を有する按摩器本体に、叩き部による押圧時間を延長する押圧時間延長部が設けられたものであって、広範囲当接面が正面に形成され、狭範囲当接面が背面に形成された叩き部と、前記叩き部に設けられた片方の手で握り持つ操作部と、前記叩き部のに設けられ板状弾性部と、前記板状弾性部の先端部に設けられたオモリ体で構成されている。【選択図】        図４
2005161024.tif 000002
【特許請求の範囲】
【請求項１】
叩き当接部と叩き操作部を有する按摩器本体に、叩き当接部による当接押圧時間を延長する押圧時間延長部が設けられたこと特徴とする按摩器。
【請求項２】
前記押圧時間延長部は、叩き当接部が施療個所に当接した時の反動で弾性部を介して動くオモリ体の機能により、押圧時間を延長しうるようにされたこと特徴とする請求項１記載按摩器。
【請求項３】
前記オモリ体は、叩き当接部から伸びた弾性部の先端部に設けられたことを特徴とする請求項１または２記載の按摩器。
【請求項４】
前記オモリ体は、叩き操作部から伸びた弾性部の先端部に設けられたことを特徴とする請求項１または２記載の按摩器。
【請求項５】
前記押圧時間延長部は、叩き当接部内に、当該叩き当接部が施療個所に当接した時の反動で弾性部を介して動くオモリ体の機能により当接押圧時間を延長しうる状態にして設けられたことを特徴とする請求項１〜４から選択された一つの請求項記載の按摩器。
【請求項６】
前記叩き当接部が、叩き操作部から伸びた弾性腕状部の先端部に設けられたことを特徴とする請求項１〜５から選択された一つの請求項記載の按摩器。
【請求項７】
前記請求項５又は６に係る按摩器に関し、弾性部がスポンジ若しくはエラストマー製であることを特徴とする按摩器。
【請求項８】
全体は、頭部施療用として構成されたことを特徴とする請求項１〜７から選択された一つの請求項記載の按摩器。
【請求項９】
請求項８に係る按摩器に関し、頭部への当接部分がブラシにされたことを特徴とする按摩器。
【請求項１０】
前記叩き操作部は、握り部であることを特徴とする請求項１〜９から選択された一つの請求項記載の按摩器。
【請求項１１】
全体は、二つ折り可能の構成にされたことを特徴とする請求項１〜９から選択された一つの請求項記載の按摩器。
【請求項１２】
前記叩き操作部は、動力により叩き動作をする構成にされたことを特徴とする請求項１〜１０から選択された一つの請求項記載の按摩器。
【請求項１３】
前記叩き当接部は、握り部を兼ねる構成にされたことを特徴とする請求項１〜１０から選択された一つの請求項記載の按摩器。
【請求項１４】
全体もしくは一部が化粧体により外装されたことを特徴とする請求項１〜１３から選択された一つの請求項記載の按摩器。
【請求項１５】
前記叩き当接部は、広範囲当接面と狭範囲当接面を備えていることを特徴とする請求項１〜１４から選択された一つの請求項記載の按摩器。
【請求項１６】
叩き当接部と叩き操作部を有する按摩器本体に、叩き当接部による当接押圧時間を延長する押圧時間延長用のオモリ体が設けられた按摩器に用いるものであって、オモリ体の施療個所側及びその反対側に弾性部を備えたことを特徴とする按摩器用オモリ体。
【請求項１７】
叩き当接部と叩き操作部を有する按摩器本体に、叩き当接部による当接押圧時間を延長する押圧時間延長用のオモリ体が設けられた按摩器に用いるものであって、主弾性部と当該主弾性部の先端部に設けられたオモリ部から成ることを特徴とする按摩器用オモリ体。
【発明の詳細な説明】
【技術分野】
【０００１】
本発明は、人体の頭部、首筋部、顔面部、肩部、腕部、足部、腰部等を叩いて血液の循環を良くすることで、頭、首筋、肩、腕、足、腰等のコリを治癒したり、筋肉疲労等を回復させたり、頭皮や肌の疲弊を回復させたりするなどに使用する按摩器及び当該按摩器に用いる按摩器用オモリ体に関する。
【背景技術】
【０００２】
従来知られているこの種の按摩器は、基端に握り部をもつ棒状操作部の先端に玉状の叩き当接部が設けられているものであった（特許文献１参照）。この種の按摩器は、前記叩き当接部で施療個所をトン・トン・トン・トン・・・叩くものであって、一回の叩き操作で行われる施療個所に対する当接時間（以下、本書では押圧刺激賦与時間と表現する。）は短いものであった。
【０００３】
要するに、従来の按摩器は、一回の叩き操作によって施療個所が押圧されている押圧刺激賦与時間は短く、恰もモールス符号の短符号が連続しているような感じの押圧刺激（以下、本書では短符号的押圧刺激と表現する。）を施療個所に与えることで、コリを治癒したり、筋肉疲労等を回復させたり、頭皮や肌の疲弊をを回復させたりしているものであった。このために、効率の低いあんま効果（マッサージ効果）しか得られなかった。
【０００４】
一方、指圧治療は、指で長く押し続けて離す作業を繰り返すというものであって、一回の押圧刺激賦与時間を長くした刺激賦与行為を基調にして繰り返し行なうことにより、効率の高いあんま効果を得ている。
【０００５】
これら事実を対比して考えると、前記指圧による押圧刺激賦与時間には及ばないにしても、按摩器の前記押圧刺激賦与時間を僅かだけでも、より長くして人体に刺激を与えることが人体には極めて有効であることが容易に理解できる。
【０００６】
そこで、本発明者は、前記短符号的押圧刺激を与える押圧刺激賦与時間（ｔ）が、モールス符号の長符号が連続している感じの押圧刺激（以下、本書では長符号的押圧刺激と表現する。）を与える長符号的押圧刺激賦与時間（ｔ＋α）になれば、人体には有効であろうと考え、その結果、本発明を案出したのである。すなわち、試行錯誤の結果、施療個所に当り始めた瞬間から跳ね返り動作に移るまでの時間を長くすることに成功し、よって、一回の叩き操作ごとに、より長い連続の押圧刺激を与えうるようにした按摩器を案出したのである。
【０００７】
また、本発明者は、本発明に係る按摩器の実施品を製作し、これを用いて実際に頭部等を叩いて試したところ、従来品で叩いたときよりも痛さを感じなかった。これは、刺激が長符号的押圧刺激であるために緩和されていることが実感できた。このことは体験的に、痛いところを押え付けているとその痛さが和らいでくることから推察できる。
【０００８】
さらに、前記実施品を用いて頭部を叩く際に、弾ませないように軽く押し付ける操作を意図的に加えると、小刻みな叩き動作が連打状態で起き、余波に似た繰り返し振動が頭皮部等施療個所に与えられることが確認できた。この連打状の叩き動作はあんま効果をさらに高め且つ痛さを和らげることに有効に機能することが判った。（なお、弾ませないように軽く押し付ける操作を意図的に加えない場合には、連打状態が起きなかった。）
【０００９】
【特許文献１】特開平８−１４１０３７号公報
【発明の開示】
【発明が解決しようとする課題】
【００１０】
本発明は、一度の叩き操作によって得る押圧刺激が長符号的押圧刺激になるような使い方ができ且つ余波に似た繰り返し振動が連打状態で頭皮等治療個所に与えるような使い方ができる新規の按摩器を提供することを目的とする。
【課題を解決するための手段】
【００１１】
前記目的を達成するために、
【００１２】
請求項１に係る按摩器にあっては、叩き当接部と叩き操作部を有する按摩器本体に、叩き当接部による押圧時間を延長する押圧時間延長部が設けられたこと特徴とする。
【００１３】
請求項２に係る按摩器にあっては、前記押圧時間延長部は、叩き当接部が施療個所に当接した時の反動で弾性部を介して動くオモリ体の機能により押圧時間を延長しうるようにされたこと特徴とする。
【００１４】
請求項３に係る按摩器にあっては、前記オモリ体は、叩き当接部から伸びた弾性部の先端部に設けられたことを特徴とする。
【００１５】
請求項４に係る按摩器にあっては、前記オモリ体は、叩き操作部から伸びた弾性部の先端部に設けられたことを特徴とする。
【００１６】
請求項５に係る按摩器にあっては、前記押圧時間延長部は、叩き当接部内に、当該叩き当接部が施療個所に当接した時の反動で弾性部を介して動くオモリ体の機能により押圧時間を延長しうる状態にして設けられたことを特徴とする。
【００１７】
請求項６に係る按摩器にあっては、前記叩き当接部が、叩き操作部から伸びた弾性腕状部の先端部に設けられたことを特徴とする。
【００１８】
請求項７に係る按摩器にあっては、前記請求項５又は６に係る按摩器に関し、弾性部がスポンジ若しくはエラストマー製であることを特徴とする。
【００１９】
請求項８に係る按摩器にあっては、全体は、頭部施療用として構成されたことを特徴とする。
【００２０】
請求項９に係る按摩器にあっては、請求項９に係る按摩器に関し、頭部への当接部分がブラシにされたことを特徴とする。
【００２１】
請求項１０に係る按摩器にあっては、前記叩き操作部は、握り部であることを特徴とする。
【００２２】
請求項１１に係る按摩器にあっては、全体は、二つ折り可能の構成にされたことを特徴とする。
【００２３】
請求項１２に係る按摩器にあっては、前記叩き操作部は、動力により叩き動作する構成にされたことを特徴とする。
【００２４】
請求項１３に係る按摩器にあっては、前記叩き当接部は、握り部も兼ねる構成にされたことを特徴とする。
【００２５】
請求項１４に係る按摩器にあっては、全体もしくは一部が化粧体により外装されたことを特徴とする。
【００２６】
請求項１５に係る按摩器にあっては、前記叩き当接部は、広範囲当接面と狭範囲当接面を備えていることを特徴とする。
【００２７】
請求項１６に係る按摩器用オモリ体にあっては、叩き当接部と叩き操作部を有する按摩器本体に、叩き当接部による当接押圧時間を延長する押圧時間延長用のオモリ体が設けられた按摩器に用いるものであって、オモリ体の施療個所側及びその反対側に弾性部を備えたことを特徴とする。
【００２８】
請求項１７に係る按摩器用オモリ体にあっては、叩き当接部と叩き操作部を有する按摩器本体に、叩き当接部による当接押圧時間を延長する押圧時間延長用のオモリ体が設けられた按摩器に用いるものであって、主弾性部と当該主弾性部の先端部に設けられたオモリ部から成ることを特徴とする。
【発明の効果】
【００２９】
請求項１に係る按摩器は、叩き当接部と叩き操作部を有する按摩器本体に、叩き当接部による押圧時間を延長する押圧時間延長部が設けられたので、当該押圧時間延長部による押圧時間の延長によって、効率の高いあんま効果を得ることができ且つ少々強く叩いてもそれほど痛さを感じない叩き方ができる。また前記押圧時間延長部は、オモリ体と弾性部材を組み合わせてこれを按摩器本体に取り付けるという簡単且つ容易な手段により実施でき、一度の叩き操作によって得る押圧刺激が長符号的押圧刺激になるような使い方ができ且つ余波に似た繰り返し振動が連打状態で頭皮等治療個所に与えるような使い方ができる新規の按摩器を提供するという所期の目的を容易に達成できる。
【００３０】
請求項２に係る按摩器は、前記押圧時間延長部が、叩き当接部が施療個所に当接した時の反動で弾性部を介して動くオモリ体の機能により押圧時間を延長しうるようにされたので、前記オモリ体は、叩き当接部が施療個所に当接した直後には、前記当接の反動によって叩き当接部の叩き方向と同じ方向に移動しながら前記叩き当接部を施療個所に押し着け続けるように機能し、その後には叩き当接部の反発力と弾性部の反発力によって前記叩き方向とは反対の方向に戻る機能を果すものであって、この戻るときにはその勢いで叩き当接部の戻りを助勢する。すなわち、前記オモリ体及び弾性部は、叩き当接部の施療個所への押し着けを続けさせる第１の機能と叩き当接部の戻りを助勢する第２の機能を果す。そして、その結果、前記第１の機能によって押圧刺激賦与時間（ｔ＋α）が延長される。これによって長符号的押圧刺激が確実に得ることができる。また前記第２の機能によって叩き当接部の戻りが楽になることにより使用者の操作する手に掛かる負担が軽減される。したがって長い時間の使用でも疲労を感じることなく使うことができる。
【００３１】
請求項３に係る按摩器は、前記オモリ体が、叩き当接部から伸びた弾性部の先端部に設けられたことを特徴とするので、叩き当接部から伸びた弾性部の弾性によって前記オモリ体の前記第１の機能及び第２の機能を確保しうると共に長符号的押圧刺激に微妙なソフト感を賦与することができる。なお、このソフト感が最良になるようにするためには、叩き当接部から伸びた弾性部の弾性の強さ、材質及び形状等を試作の繰り返しにより得ることが望ましい。
【００３２】
請求項４に係る按摩器は、前記オモリ体が、叩き操作部から伸びた弾性部の先端部に設けられたので、叩き操作部から伸びた弾性部の弾性によって前記オモリ体の前記第１の機能及び第２の機能を確保しうると共に長符号的押圧刺激に微妙なソフト感を賦与することができる。なお、このソフト感が最良になるようにするためには、叩き操作部から伸びた弾性部の弾性の強さ、材質及び形状等を試作の繰り返しにより得ることが望ましい。
【００３３】
請求項５に係る按摩器は、前記押圧時間延長部が、叩き当接部内に、当該叩き当接部が施療個所に当接した時の反動で弾性部を介して動くオモリ体の機能により押圧時間を延長しうる状態にして設けられたので、当該押圧時間延長部が外に出っ張って邪魔にならなく、コンパクトに体裁よく構成できる。
【００３４】
請求項６に係る按摩器は、前記請求項５に係る按摩器に関し、前記叩き当接部が、叩き操作部から伸びた弾性腕状部の先端に設けられたことを特徴とするので、施療個所を叩く場合には弾性腕状部が、使用者の腕の延長として機能して使い勝手をよくすると共に、前記弾性腕状部はオモリ体を支えている弾性部と相俟って弾性機能をよく果たし、相乗効果を発揮できる。
【００３５】
請求項７に係る按摩器は、前記請求項５又は６に係る按摩器に関し、弾性部がスポンジ若しくはエラストマー製であるので、構成が容易で低コスト化ができる。
【００３６】
請求項８に係る按摩器は、全体が、頭部施療用として構成されたことを特徴とするので、パソコンの操作作業等で疲労した頭部の疲労回復、頭皮や肌の疲弊回復に利用できる。この回復効果は、多数の試用者によれば、その全員が５〜１０分の使用で「目の前が明るくなった」「疲労がとれた」などと発言していることでも確証できた。
【００３７】
請求項９に係る按摩器は、請求項８に係る按摩器に関し、頭部への当接部分がブラシにされたことを特徴とするので、当該ブラシで頭頂を軽く繰り返し叩くことによって育毛、発毛が促進できる。
【００３８】
請求項１０に係る按摩器は、前記叩き操作部は、握り部であることを特徴とするので、前記握り部を握り持ってこれを容易に操作できる。
【００３９】
請求項１１に係る按摩器は、全体は、二つ折り可能の構成にされたことを特徴とするので、小さく畳んで携帯することができる。
【００４０】
請求項１２に係る按摩器は、前記叩き操作部は、動力により叩き動作する構成にされたことを特徴とするので、予め動力により叩き動作状態にされた叩き当接部に施療個所を軽く押し当てる体勢して使用することによって、自動で、頭、首筋、肩、腕、足、腰等のコリを治癒したり、筋肉疲労等を回復させたり、頭皮や肌の疲弊を回復させたりすることができる。
【００４１】
請求項１３に係る按摩器は、前記叩き当接部は、叩き握り部も兼ねる構成にされたことを特徴とするので、叩き握り部が外に出っ張って邪魔にならなく、コンパクトに体裁よく構成できる。携帯に便利である
【００４２】
請求項１４に係る按摩器は、全体もしくは一部が化粧体により外装されたことを特徴とするので、製品のイメージをアップできる。また、化粧体の形象に工夫を施すことで按摩器を想像させないようなデザインの製品が提供できる。いろいろなデザインのものが作り易い。
【００４３】
請求項１５に係る按摩器は、前記叩き当接部が、広範囲当接面と狭範囲当接面を備えていることを特徴とするので、使用者が施療個所をいわゆる面接触状態で叩きたい場合には前記広範囲当接面が使用でき、また使用者が施療個所をいわゆる点接触状態で叩きたい場合には前記狭範囲当接面が使用できる。このように広範囲当接面で面接触状態を叩いた場合には広く浅い状態に押圧され、また狭範囲当接面で点接触状態を叩いたときには狭く深い状態に押圧されるので、使用者が任意にたとえば次のような使い方ができる。
【００４４】
すなわち、前記請求項１５に係る按摩器は、叩き始めには広範囲当接面で施療個所を叩いてウオーミングアップを行い、その後に狭範囲当接面で同施療個所を叩いて本格施療を行い、最後に再び広範囲当接面で同施療個所を叩いてクールダウンを行うという、高い効果が期待できる使い方ができる。
【００４５】
請求項１６に係る按摩器用オモリ体は、叩き当接部と叩き操作部を有する按摩器本体に、叩き当接部による当接押圧時間を延長する押圧時間延長用のオモリ体が設けられた按摩器に用いるものであって、オモリ体の施療個所側及びその反対側に弾性部を備えたことを特徴とするので、按摩器の完成品の提供及びパーツの流通・在庫管理等の簡易化を可能にできる。
【００４６】
請求項１７に係る按摩器用オモリ体は、叩き当接部と叩き操作部を有する按摩器本体に、叩き当接部による当接押圧時間を延長する押圧時間延長用のオモリ体が設けられた按摩器に用いるものであって、主弾性部と当該主弾性部の先端部に設けられたオモリ部から成ることを特徴とするので、按摩器の完成品の提供及びパーツの流通・在庫管理等の簡易化を可能にできる。
【発明を実施するための最良の形態】
【００４７】
以下、本発明の実施の形態を図面に基づいて詳述する。本発明は、以下の実施の形態に限定されない。
【００４８】
図１〜図７は、第１実施の形態に係る按摩器を示すものであって、図１は全体を示す正面図であり、図２は同じく側面図であり、図３は同じく背面図であり、図４は縦断面図であり、図５は横断面図であり、図６は二つ折りした状態を示す正面図、図７は縦断面図である。なお、この第１実施の形態に係る按摩器は、頭部に使用して好適なサイズとして構成されている。すなわち、パソコン使用による頭部の疲労回復に使用できる。
【００４９】
この第１実施の形態に係る按摩器１は、広範囲当接面２が正面に形成され、狭範囲当接面３が背面に形成された叩き当接部４と、前記叩き当接部４の下面に設けられた補助弾性部５と、前記補助弾性部５の下端部に設けられた片方の手で握り持つ叩き操作部６と、前記叩き当接部４の上面に設けられた主弾性部７と、前記主弾性部７の先端部に設けられたオモリ体８で構成されている。
【００５０】
前記叩き当接部４は、正面側半分及び背面側半分がそれぞれ半球面状にされ中央個所に凹溝９が設けられた構成になっていて、正面側半球面状部の頂面が広範囲当接面２とされ、背面側半球面状の頂部には頂端が狭範囲当接面３として機能する多数本の突起状部１０が設けられている。この叩き当接部４は適度の弾性を備えた合成ゴムにより成型されている。
【００５１】
前記補助弾性部５は、適度の弾性を備えた金属棒を二つ折りにして平行２本棒の構成にされている。そしてこの補助弾性部５は、前記金属棒の二つ折り折曲個所を両端が離れた欠円形に折曲して取付部１１を形成し、当該取付部１１を前記凹溝９に嵌着することによって前記叩き当接部４に回転しうる状態に取り付けられている。
【００５２】
また、前記主弾性部７は、前記補助弾性部５と同様に、適度の弾性を備えた金属棒を二つ折りにして平行２本棒の構成にされている。そしてこの主弾性部７は、前記金属棒の基端側二つ折り折曲個所を両端が離れた円形に折曲して取付部１２を形成し、当該取付部１２を前記凹溝９に嵌着することによって前記叩き当接部４に回転しうる状態に取り付けられている。
【００５３】
また、前記叩き操作部６は、硬質プラスチックにより成型され、前記補助弾性部５の下端部に着脱不能に固定されている。この固定は、補助弾性部５の端にＵの字状折曲部１３を形成し、当該Ｕの字状折曲部１３を前記叩き操作部６に埋め込むことでなされている。なお、前記叩き操作部６は、軟質プラスチックやゴムにより構成してソストにすることができる。
【００５４】
また、オモリ体８は、鉛を以て構成し、前記主弾性部７の上端部に着脱不能に固定されている。このオモリ体８は、動物、植物等を模した形にすることができ、これによって意匠性を高めるようにすることができる。
【００５５】
前記第１実施の形態に係る按摩器１は、前記のような構成であるので、図６及び図７に示すように、叩き操作部６を軸として二つ折り状態にして半サイズの形にできるので、携帯、格納に便利であり、ハンドバッグ等小型のバッグに収容して携帯することができる利点がある。
【００５６】
なお、補助弾性部５及び主弾性部７は、その弾性の強弱があんま効果を左右する大事な部分であって数式では計算し切れないところであるので、試作品を製作し試用することによってその太さ、長さ、材質等を決定することが好ましい。またこれら補助弾性部５、主弾性部７は、プラスチック棒で構成することができる。
【００５７】
図８〜図１１は、第２実施の形態に係る按摩器２１を示すものであって、図８は全体を示す正面図であり、図９は同じく側面図であり、図１０は同じく背面図であり、図１１は縦断面図である。なお、この第２実施の形態に係る按摩器２１は、頭部に使用して好適なサイズに構成されている。なお、肩用、背中用、脚用等として構成したいする場合には、全体的に大きく重くすることで実施できるので、説明は省略する。
【００５８】
この第２実施の形態に係る按摩器２１は、広範囲当接面２２が正面に形成され、狭範囲当接面２３が背面に形成された叩き当接部２４と、前記叩き当接部２４の下面に設けられた片方の手で握り持つ操作部２５と、前記叩き当接部２４の上面に立設された板状弾性部２６と、前記板状弾性部２６の先端部に設けられたオモリ体２７で構成されている。
【００５９】
前記叩き当接部２４は、球面状の広範囲当接面２２を頂面に有する鍔部２８付き帽子形状の合成ゴム製正面側叩き体２９と、頂部に突起状部３１を設けることでその頂面に狭範囲当接面２３が形成された鍔部３２付き帽子形状の合成ゴム製背面側叩き体３３との間にプラスチック製の円形板３４を挟むと共に前記正面側叩き体２９の鍔部２８と前記円形板３４の外周縁３５と前記背面側叩き体３３の鍔部３２とをプラスチック製のクランプ体３６で挟み固定することにより構成されている。前記円形板３４を構成するプラスチックは、適度の弾性を備え、前記板状弾性部２６の一体構成を可能にしているものである。また、前記正面側叩き体２９及び背面側叩き体３３は、図に示すように中空体にしてその中の空気をエアークッションとして利用するようにしてあるが、無垢のものでもよく、たとえばスポンジ、木材、硬質プラスチックで構成することができる。
【００６０】
また、前記操作部２５は、前記クランプ体３６の下辺に扁平中空の短い棒形状握り部３７を一体に連続して設けることにより構成されている。この操作部２５は二つ割り成形体で構成されていて、その外面には突起状の滑り止め部３８が設けられている。
【００６１】
また、前記板状弾性部２６は、前記円形板３４の上辺縁から一体に連続して設けられている。この前記板状弾性部２６は、必ずしも、前記円形板３４の上辺縁に一体に連続して設けなくともよいは勿論である。また、この板状弾性部２６は、その弾性の強弱があんま効果を左右する大事な部分であって、数式では計算し切れないところであるので、試作品を製作し試用することによってその寸法、形、材料等を決定することが好ましい。前記材料には金属製板バネ材、金属製棒状体もしくはプラスチック棒状体等を任意に選択して使用することができる。
【００６２】
さらに、前記オモリ体２７は、金属製であって、前記板状弾性部２６の先端に固定されている。このオモリ体２７は、ゴルフボール等プレー用品やゴルフプレーヤー等競技者を模した形にしてゴルフ用品的関連性を賦与することで商品価値を高めたり、もしくは動物、花等形象物を模した形にすることで意匠性を創作することで商品価値を高めたりすることができる。また、前記模した形は、当該模した形に構成された被せ物を前記オモリ体２７に被せることでも容易に実施することができる。さらに、前記オモリ体２７は、螺子による緩め操作または締付け操作でその位置を任意に変更しうる構成等位置変更手段を介して取付け、これにより前記刺激の強弱を調整しうるようにすることができる。前記オモリ体２７の板状弾性部２６への固定は、鋲止、圧着、カシメ止め、インサート、その他の手段を採用して行なうことができる。
【００６３】
なお、図中符号３９は、叩き当接部２４の円形板３４に固定された補助オモリ体であって、前記叩き当接部２４に重量を賦与するためのものである。この補助オモリ体３９は、前記叩き当接部２４の小型化、全体の小型化に寄与し、ハンドバッグやポケットに収納して持ち歩けるサイズにすることを可能にする。なお、本発明は、補助オモリ体を設けずに実施することができ、また叩き当接部は、複数個を並べた状態にして設けることができる。
【００６４】
また、図１２及び図１３は、第３実施の形態に係る按摩器４１を示すものであって、図１２は全体を示す正面図であり、図１３は同じく側面図である。
【００６５】
この第３実施の形態に係る按摩器４１は、前記第１実施の形態に係る按摩器２１と操作部４２の構成が異なっているものであって、他の部分は同様の構成にしてあるものである。同じ部位には同一の符号を付してその説明は省略する。
【００６６】
この第３実施の形態に係る按摩器４１は、操作部４２において叩き当接部２４に近い個所に補助弾性部４３が設けられている。この補助弾性部４３は、幾分薄手に構成して弾性を確保してある。この補助弾性部４３は、前記第２実施の形態に係る按摩器２１における板状弾性部２６と同様に、その弾性の強弱があんま効果を左右する大事な部分であって数式では計算し切れないので、試作品を製作し試用することによってその寸法、形、材料等を決定することが好ましい。前記材料には金属製板バネ材、金属製棒状体もしくはプラスチック棒状体を使用することができる。
【００６７】
図１４〜図１７は、第４実施の形態に係る按摩器５１を示すものであって、図１４は全体を示す正面図であり、図１５は同じく側面図であり、図１６は同じく背面図であり、図１７は縦断面図である。なお、この第４実施の形態に係る按摩器は、大事な頭部に使用して好適なものとして構成されている。すなわち、パソコン使用による頭部の疲労回復に主に使用できる。
【００６８】
前記第４実施の形態に係る按摩器５１は、前記第３実施の形態に係る按摩器４１と、全体の形象をウサギを模した形にした点、二つのオモリ体５２，５３を設けた点及び縫ぐるみ５４で包んだ点、前記補助オモリ体３９を無くした点が異なっているものであって、他の部分は同様の構成にしてあるものである。同じ部位には同一の符号を付してその説明は省略する。なお、図中符号５５は縫ぐるみ５４の中綿を示している。
【００６９】
前記第４実施の形態に係る按摩器５１は、広範囲当接面２２及び狭範囲当接面２３を縫ぐるみ５４で包み隠した構成にしても実施することができる。
【００７０】
図１８〜図２３は、第５実施の形態に係る按摩器６０を示すものであって、図１８は全体を示す正面図であり、図１９は同じく側面図であり、図２０は同じく背面図であり、図２１は同じく平面図であり、図２２は縦断面図であり、図２３は横断面図である。なお、この第５実施の形態に係る按摩器６０は、大事な頭部に使用して好適なものとして構成されている。すなわち、パソコン使用による頭部の疲労回復に主に使用しうるように構成されている。
【００７１】
前記第５実施の形態に係る按摩器６０は、図２１に示すように、正面側半分部分６５を広範囲当接面６１で頭部叩く叩き当接部として使用する場合には、背面側半分部分６２が手の平内になるように握り持って当該背面側半分部分６２を操作部６３として用い、また狭範囲当接面６４を叩き当接部として使用する場合には、正面側半分部分６５が手の平内になるように握り持って当該正面側半分部分６５を操作部６６として用いうるようにされたものである。また、板状弾性部６７、６８及びオモリ体６９、７０は、外に出ないように第５実施の形態に係る按摩器６０内に設けられたものである。
【００７２】
すなわち、第５実施の形態に係る按摩器６０は、図２３に示すように、球面状の広範囲当接面６１を頂面に有する鍔部７２付き帽子形状の合成ゴム製正面側叩き体７３と、頂部に突起状部７４を設けることでその頂面に狭範囲当接面６４が形成された鍔部７５付き帽子形状の合成ゴム製背面側叩き体７６との間に弾性を備えたプラスチック製の円形板７７を挟むと共に前記正面側叩き体７３の鍔部７２と前記円形板７７の外周縁７８と前記背面側叩き体７６の鍔部７５とをプラスチック製のクランプ体７９で挟み固定することにより構成されている。
【００７３】
また、前記板状弾性部６７，６８は、前記円形板７７に渦状の切り線８０を切設することで二つ巴型状にされることによって可及的に長くなるようにされ、その先端部に前記オモリ体６９，７０が固定されているものである。
【００７４】
図２４及び図２５は、第６実施の形態に係る按摩器８１を示すものであって、図２４は全体を示す側面図であり、図２５は同じく縦断面図である。なお、この第６実施の形態に係る按摩器８１は、頭部に使用して好適なものとして構成されている。
【００７５】
この第６実施の形態に係る按摩器８１は、図２４に示すように、球面状の広範囲当接面８２を頂面に有する鍔部８３付き帽子形状の合成ゴム製正面側叩き体８４と、頂部に突起状部８５を設けることでその頂面に狭範囲当接面８６が形成された鍔部８７付き帽子形状の合成ゴム製背面側叩き体８８とを構成し、これら正面側叩き体８４、背面側叩き体８８の間に弾性部として機能するスポンジ８９、９０を装入すると共にこれらスポンジ８９，９０の間の中央にオモリ体９１を挟み保持し、この保持状態で前記正面側叩き体８４の鍔部８３と前記背面側叩き体８８の鍔部８７とをプラスチック製のクランプ体９２で挟み固定することにより構成されている。
【００７６】
すなわち、前記第６実施の形態に係る按摩器８１は、正面側叩き体８４の頂部を広範囲当接面８２として頭部を叩く叩き当接部として使用する場合には、背面側半分部分が手の平内になるように握り持って当該背面側半分部分を叩き操作部として用い、また狭範囲当接面８６を叩き当接部として使用する場合には、正面側半分部分が手の平内になるように握り持って当該正面側半分部分を叩き操作部として用いうるようにされたものである。
【００７７】
図２６は、第７実施の形態に係る按摩器９５を示す縦断面図である。なお、この第７実施の形態に係る按摩器９５は、頭部に使用して好適なものとして構成されている。
【００７８】
この第７実施の形態に係る按摩器９５は、球面状の広範囲当接面９６を頂面に有する鍔部９７付き帽子形状の合成ゴム製正面側叩き体９８と、頂部に突起状部９９を設けることでその頂面に狭範囲当接面１００が形成された鍔部１０１付き帽子形状の合成ゴム製背面側叩き体１０２とを構成し、これら正面側叩き体９８、背面側叩き体１０２の間に弾性部として機能するスポンジ１０３、１０４を装入すると共にこれらスポンジ１０３，１０４の間の中央にオモリ体１０５を挟み保持し、この保持状態で前記正面側叩き体９８の鍔部９７と前記背面側叩き体１０２の鍔部１０１とをプラスチック製のクランプ体１０６で挟み固定することにより構成され、そして前記クランプ体１０６に補助弾性部１０７を介して叩き操作部１０８が設けられているものである。すなわち第７実施の形態に係る按摩器９５は、叩き操作部１０８を握り持って用いるようにされたものである。
【００７９】
前記第６及び第７実施の形態に係る按摩器８１、９５にあっては、正面側叩き体８４、９８内のスポンジ８９、１０３と背面側叩き体８８、１０２内のスポンジ９０，１０４がオモリ体９１，１０５を挟み保持する機能と、主弾性部として機能する役目を果たすようにされている。なお、本発明は、オモリ体の形状は、扁平な長方形、棒状、その他適宜の形であっても良い。
【００８０】
図２７は、第８実施の形態に係る按摩器１１１を示す縦断面図である。この第８実施の形態に係る按摩器１１１は、握り部１１２と補助弾性部１１３からなる叩き操作部１１４と、前記補助弾性部１１３の先端に設けられたブラシ台部１１５と、前記ブラシ台部１１５に設けられたブラシ型叩き当接部１１６とにより構成され、また前記ブラシ型叩き当接部１１６は、僅かの弾性を備えた合成樹脂材料を以て構成され、内面が凹状にされ外面が凸状にされた板状部１１７と当該板状部１１７の外面に立設された多数本のピン状ブラシ毛１１８とにより構成され、さらに同ブラシ型叩き当接部１１６には、その外周に設けられた鍔部１１９と前記ブラシ台部１１４の外周に設けられた内向き溝部１２０の嵌着によって固定され、この固定によって中空部１２１が形成され、そして当該中空部１２１には、中心にオモリ体１２２を固定する要領で成型したスポンジ製弾性体１２３が内蔵されているものである。なお、弾性体は、エラストマー製にすることができる。また本発明は、スポンジ８９、１０３の代わりにコイルバネ、その他の弾性体を用いることができる。
【００８１】
図２８及び図２９は、第９実施の形態に係る按摩器１２５を示すものであって、図２８は全体を示す縦断面図であり、図２９は同じく背面図である。この第９実施の形態に係る按摩器１２５は、握り部１２６付きの育毛用ブラシ本体１２７の先端に主弾性部１２８を介してオモリ体１２９を設けたものである。なお、握り部１２６の基端個所に補助弾性部を設けることで実施することができる。
【００８２】
図３０は、第１０実施の形態に係る按摩器１３０を示す側面図である。この第９実施の形態に係る按摩器１３０は、椅子１３１の背凭１３２内に設けられた電動装置１３３によって叩き動作しうるようにされたものである。すなわち電動装置１３３によって叩き動作するアーム１３４に補助弾性部１３５を介して叩き当接部１３６が設けられ、当該叩き当接部１３６に主弾性部１３７を介してオモリ体１３８が設けられているものである。
【００８３】
なお、前記補助弾性部及び主弾性部は、平行２本棒の構成あるいは平板の構成になっているため、横ブレが少なく叩き易い利点がある。
【００８４】
本発明は、広範囲当接面、狭範囲当接面の一方のみを設けた構成で実施することができる。また縫ぐるみの代わりに軟質プラスチック、合成樹脂フイルム等製の人形、動物等の形象体を被着した構成で実施することができる。さらに握り部もしくは補助弾性部を長くしてすなわち、手を高く上げた状態にしないでも叩けるように長い柄付きの構成にすることができる。また、オモリ体を外部に出した構成にした場合には、これを人形、動物等の形にして興趣ある製品にすることができる。また同じように外部に出した場合、オモリ体が誤って身体に当っても怪我をしないように、オモリ体に弾性材料性の保護材を被せることができる。また、オモリ体は鉛製にせず環境汚染の懸念がない素材にすることが望ましい。
【図面の簡単な説明】
【００８５】
【図１】第１実施の形態に係る按摩器の全体を示す正面図である。
【図２】同じく側面図である。
【図３】同じく背面図である。
【図４】同じく縦断面図である。
【図５】同じく横断面図である。
【図６】同じく別異の使用状態を示す正面図である。
【図７】同じく縦断面図である。
【図８】第２実施の形態に係る按摩器の全体を示す正面図である。
【図９】同じく側面図である。
【図１０】同じく背面図である。
【図１１】同じく縦断面図である。
【図１２】第３実施の形態に係る按摩器の全体を示す正面図である。
【図１３】同じく側面図である。
【図１４】第４実施の形態に係る按摩器の全体を示す正面図である。
【図１５】同じく側面図である。
【図１６】同じく背面図である。
【図１７】同じく縦断面図である。
【図１８】第５実施の形態に係る按摩器の全体を示す正面図である。
【図１９】同じく側面図である。
【図２０】同じく背面図である。
【図２１】同じく平面図である。
【図２２】同じく縦断面図である。
【図２３】同じく横断面図である。
【図２４】第６実施の形態に係る按摩器の全体を示す正面図である。
【図２５】同じく縦断面図である。
【図２６】第７実施の形態に係る按摩器を示す縦断面図である。
【図２７】第８実施の形態に係る按摩器を示す縦断面図である。
【図２８】第９実施の形態に係る按摩器の全体を示す縦断面図である。
【図２９】同じく背面図である。
【図３０】第１０実施の形態に係る按摩器の全体を示す側面図である。
【符号の説明】
【００８６】
１  第１実施の形態に係る按摩器
２  広範囲当接面
３  狭範囲当接面
４  叩き当接部
５  補助弾性部
６  叩き操作部
７  主弾性部
８  オモリ体
９  凹溝
１０  突起状部
１１  取付部
１２  取付部
１３  Ｕの字状折曲部
２１  第１実施の形態に係る按摩器
２２  広範囲当接面
２３  狭範囲当接面
２４  叩き当接部
２５  操作部
２６  板状弾性部
２７  オモリ体
２８  鍔部
２９  正面側叩き体
３１  突起状部
３２  鍔部
３３  背面側叩き体
３４  円形板
３５  外周縁
３６  クランプ体
３７  棒形状握り部
３８  滑り止め部
３９  補助オモリ体
４１  第３実施の形態に係る按摩器
４２  操作部
４３  補助弾性部
４４  叩き当接部
５１  第４実施の形態に係る按摩器
５２  オモリ体
５３  オモリ体
５４  縫ぐるみ
５５  中綿
６０  第５実施の形態に係る按摩器
６１  広範囲当接面
４２  背面側半分部分
６３  操作部
６４  狭範囲当接面
６５  正面側半分部分
６６  操作部
６７  板状弾性部
６８  板状弾性部
６９  オモリ体
７０  オモリ体
７２  鍔部
７３  正面側叩き体
７４  突起状部
７５  鍔部
７６  背面側叩き体
７７  円形板
７８  外周縁
７９  クランプ体
８０  切り線
８１  第６実施の形態に係る按摩器
８２  広範囲当接面
８３  鍔部
８４  正面側叩き体
８５  突起状部
８６  狭範囲当接面
８７  鍔部
８８  背面側叩き体
８９  スポンジ
９０  スポンジ
９１  オモリ体
９２  クランプ体
９５  第７実施の形態に係る按摩器
９６  広範囲当接面
９７  鍔部
９８  正面側叩き体
９９  突起状部
１００  狭範囲当接面
１０１  鍔部
１０２  背面側叩き体
１０３  スポンジ
１０４  スポンジ
１０５  オモリ体
１０６  クランプ体
１０７  補助弾性部
１０８  叩き操作部
１１１  第８実施の形態に係る按摩器
１１２  握り部
１１３  補助弾性部
１１４  叩き操作部
１１５  ブラシ台部
１１６  ブラシ型叩き当接部
１１７  板状部
１１８ピン状ブラシ毛
１１９  鍔部
１２０  溝部
１２１  中空部
１２２  オモリ体
１２３  スポンジ製弾性体
１２５  第９実施の形態に係る按摩器
１２６  握り部
１２７  育毛用ブラシ本体
１２８  主弾性部
１２９  オモリ体
１３０  第１０実施の形態に係る按摩器
１３１  椅子
１３２  背凭
１３３  電動装置
１３４  アーム
１３５  補助弾性部
１３６  叩き当接部
１３７  主弾性部
１３８  オモリ体
【図１】
2005161024.tif 000003
【図２】
2005161024.tif 000004
【図３】
2005161024.tif 000005
【図４】
2005161024.tif 000006
【図５】
2005161024.tif 000007
【図６】
2005161024.tif 000008
【図７】
2005161024.tif 000009
【図８】
2005161024.tif 000010
【図９】
2005161024.tif 000011
【図１０】
2005161024.tif 000012
【図１１】
2005161024.tif 000013
【図１２】
2005161024.tif 000014
【図１３】
2005161024.tif 000015
【図１４】
2005161024.tif 000016
【図１５】
2005161024.tif 000017
【図１６】
2005161024.tif 000018
【図１７】
2005161024.tif 000019
【図１８】
2005161024.tif 000020
【図１９】
2005161024.tif 000021
【図２０】
2005161024.tif 000022
【図２１】
2005161024.tif 000023
【図２２】
2005161024.tif 000024
【図２３】
2005161024.tif 000025
【図２４】
2005161024.tif 000026
【図２５】
2005161024.tif 000027
【図２６】
2005161024.tif 000028
【図２７】
2005161024.tif 000029
【図２８】
2005161024.tif 000030
【図２９】
2005161024.tif 000031
【図３０】
2005161024.tif 000032